(57)【要約】      （修正有）【課題】サイドパネルをデスクトップパネルに取り付けるにあたり、デスクトップパネル自体に対して加工を施すことなく、取付位置を自在に変更できるようにした新規有用なパネル取付装置を提供する。【解決手段】サイドパネル６の突き合せ端部６ｂをデスクトップパネル５のパネル面５ｘに突き合わせ、サイドパネル６の少なくとも２箇所に設定した受圧部７ａとデスクトップパネル５の対応部位との間を、第１の緊締機構８ａによって突き合せ端部６ｂをパネル面５ｘに押し付ける方向に緊締するとともに、サイドパネル６の突き合せ端部６ｂと直交する直交端部６ｄを同時に天板４のパネル面４ｘに突き合わせ、サイドパネル６のうち受圧部７ａからデスクトップパネル５とは反対側へ変位した部位に設定した受圧部７ｂと天板４の対応部位との間を、第２の緊締機構８ｂによって前記直交端部６ｄを天板４のパネル面４ｘに押し付ける方向に緊締することとした。【選択図】図７
2008119412.tif 000002
【特許請求の範囲】
【請求項１】
補助パネルの端部を主パネルのパネル面に突き合わせ、補助パネルの少なくとも２箇所に設定した受圧部と主パネルの対応部位との間を、これらに着脱可能に係り合わせた第１の緊締機構によって前記端部を前記パネル面に押し付ける方向に緊締するとともに、補助パネルの前記端部と直交する直交端部を同時に基礎パネルのパネル面に突き合わせ、補助パネルのうち前記受圧部から主パネルとは反対側へ変位した部位に設定した受圧部と基礎パネルの対応部位との間を、これらに着脱可能に係り合わせた第２の緊締機構によって前記直交端部を前記基礎パネルのパネル面に押し付ける方向に緊締するように構成したことを特徴とするパネル連結構造。
【請求項２】
主パネルがデスクトップパネルであり、補助パネルがサイドパネルであり、基礎パネルが天板であって、第１の緊締機構を主パネルの上縁側及び下縁側の小口から被せ、第２の緊締機構を主パネルの前縁側の小口から被せるようにしている請求項１記載のパネル連結構造。
【請求項３】
一対の天板の間で共用されるデスクトップパネルに対して、その表裏にそれぞれ配置した一対のサイドパネルの受圧部とデスクトップパネルとに前記緊締機構を着脱可能に係り合わせ、両サイドパネルの端部をデスクトップパネルの表裏のパネル面に同時に押し付ける方向に共締めし得るようにしている請求項２記載のパネル連結構造。
【請求項４】
デスクトップパネルの下縁が天板よりも高位置に配置され、サイドパネルを取り付ける際に天板とデスクトップパネルの下縁との隙間を介して第１の緊締機構の脱着が可能である請求項２又は３記載のパネル連結構造。
【請求項５】
一対の天板が反使用縁間に隙間を形成した状態で対向配置され、その隙間を介してデスクトップパネルの下縁が天板下に開放されており、サイドパネルを取り付ける際にその隙間を介して第１の緊締機構の脱着が可能である請求項２〜４記載のパネル連結構造。
【請求項６】
受圧部がサイドパネルのパネル面から直交方向に受圧片を持ち出したものであり、緊締機構が、一対の対向壁を有する基材を取付先のパネルに小口側から、当該パネルを受圧部とともに抱き込むように被せ、基材の一方よりねじを螺合させて先端を受圧部に押し付けるようにしたものである請求項２〜５記載のパネル連結構造。
【請求項７】
受圧片の所定位置にねじの先端を誘い込んで係り合わせるためのテーパ穴を設けている請求項６記載のパネル連結構造。
【請求項８】
受圧部が、補助パネルに基端片をねじ止めし受圧片を当該補助パネル面から垂直に持ち出した後付けの受圧具からなる請求項１〜７記載のパネル連結構造。
【請求項９】
補助パネルの厚み内にインサートナットを両端を開口させて埋設し、このインサートナットにねじを用いて受圧具を締着するようにしたものであって、インサートナットの鍔部がパネル面に突き当たるまで反対側から抜け止めボルトを締付けて当該鍔部と抜け止めボルトの頭部とで補助パネルを厚み方向に挟み込んだ状態にし、その上でインサートナットにねじを固定するようにしている請求項１〜８記載のパネル連結構造。
【発明の詳細な説明】
【技術分野】
【０００１】
本発明は、主パネルに対して補助パネルを、主パネルに特別な加工等を施すことなく平面視Ｔ字連結できるようにしたパネル連結構造に関するものである。
【背景技術】
【０００２】
主パネルに対して補助パネルを連結するものとして、例えば特許文献１等に示すものが知られている。このものは、間仕切パネル等の主パネルの目地間に開口する支柱のフック孔にブラケットを介して天板を取り付け、さらにそのフック孔に後端部の爪を掛け止めて、サイドパネルをＴ字連結するようにしている。
【特許文献１】特開２００１−１７８５４７号公報
【発明の開示】
【発明が解決しようとする課題】
【０００３】
ところで、近時のオフィスは、居住空間を効率よく利用しつつ組織の機動性を高める目的等により、机やテーブルごとに着座者を定めずまた着座位置も限定しないフリーアドレス制が随所に採用されている。このようなオフィスにおいて、長机を用いたり天板を増連して使用している場合に、執務領域を仕切るサイドパネルを取り付けることが多いが、かかる特許文献１のような構造だと、モジュール単位にしかサイドパネルが取り付けられないため、自席を特定しないフリーアドレス制を採用したとしても、その実効が図れない。
【０００４】
これに対して、主パネルの上面に溝を設け、この溝を利用してサイドパネルを取り付けることで天板の増連方向にサイドパネルの位置を変更できるようにすることも考えられるが、これだと主パネルの構造が複雑でコスト増となり、何より既存の主パネルに加工なしで対応することが困難となる。
【０００５】
本発明は、このような課題に着目してなされたものであって、サイドパネルと始めとする補助パネルを主パネルに取り付けるにあたり、主パネル自体に対する加工を必要とすることなく、取付位置を自在に変更できるようにした新規有用なパネル取付装置を提供することを目的としている。
【課題を解決するための手段】
【０００６】
本発明は、かかる目的を達成するために、次のような手段を講じたものである。
【０００７】
すなわち、本発明のパネル連結構造は、補助パネルの端部を主パネルのパネル面に突き合わせ、補助パネルの少なくとも２箇所に設定した受圧部と主パネルの対応部位との間を、これらに着脱可能に係り合わせた第１の緊締機構によって前記端部を前記パネル面に押し付ける方向に緊締するとともに、補助パネルの前記端部と直交する直交端部を同時に基礎パネルのパネル面に突き合わせ、補助パネルのうち前記受圧部から主パネルとは反対側へ変位した部位に設定した受圧部と基礎パネルの対応部位との間を、これらに着脱可能に係り合わせた第２の緊締機構によって前記直交端部を前記基礎パネルのパネル面に押し付ける方向に緊締するように構成したことを特徴とする。
【０００８】
このようにすると、取付構造をもたない主パネルに対しても、補助パネルを突き当て、補助パネルに設定した受圧部と主パネルとに緊締機構を着脱可能に係り合わせて緊締することで補助パネルを有効に連結することができ、補助パネルを取り外せば連結構造をもたない主パネルに適切に復元させることができる。また、これと同時に、取付構造をもたない基礎パネルに対しても補助パネルを、受圧部と緊締機構とを利用して復元可能に固定することができる。よって、このように主パネルや基礎パネルに対して加工を施さない後付け構造であっても、補助パネルのふらつきを防止して確実な取付状態を確保することができる。そして、緊締機構を係り合わせる位置を選択するだけで、補助パネルを自在な位置に取り付けることが可能となる。
【０００９】
好適な適用例としては、主パネルがデスクトップパネルであり、補助パネルがサイドパネルであり、基礎パネルが天板であって、第１の緊締機構をデスクトップパネルの上縁側及び下縁側の小口から被せ、第２の緊締機構を天板の前縁側の小口から被せるようにしているものが挙げられる。
【００１０】
デスクトップパネルに対して表裏からサイドパネルを突き合わせる場合に、表裏の緊締機構の間で取付位置の取り合いになることを有効に避けるためには、表裏にそれぞれ配置した一対のサイドパネルの受圧部とデスクトップパネルとに前記緊締機構を着脱可能に係り合わせ、両サイドパネルの端部をデスクトップパネルの表裏のパネル面に同時に押し付ける方向に共締めし得るようにしておくことが望ましい。
【００１１】
テーブル等を解体せずとも脱着作業を行うことができ、取付位置の変更にも容易に対応可能とするためには、デスクトップパネルの下縁が天板よりも高位置に配置され、サイドパネルを取り付ける際に天板とデスクトップパネルの下縁との隙間を介して第１の緊締機構の脱着が可能である状態や、一対の天板が反使用縁間に隙間を形成した状態で対向配置され、その隙間を介してデスクトップパネルの下縁が天板の下肢空間側に開放されており、サイドパネルを取り付ける際にその隙間を介して第１の緊締機構の脱着が可能である状態が、当該テーブル等に実現されていることが望ましい。
【００１２】
第１の緊締機構の取付位置に応じて第２の緊締機構の取付位置を適切に対応させるためには、天板を支持する脚構造体が、隣接する脚間をビームで連結したものであり、そのビームが使用縁から奥行き方向中央よりに変位していて、使用縁近傍の下面に第２の緊締機構を取り付けることが可能な状態が、当該テーブル等に実現されていることが望ましい。
【００１３】
緊締機構の構造及び作業の簡素化を図るためには、受圧部がサイドパネルのパネル面から直交方向に受圧片を持ち出したものであり、緊締機構が、一対の対向壁を有する基材を取付先のパネルに小口側から、当該パネルを受圧部とともに抱き込むように被せ、基材の一方よりねじを螺合させて先端を受圧部に押し付けるようにしているものが好ましい。
【００１４】
この場合、確実な緊締力を得るためには、受圧片の所定位置にねじの先端を誘い込んで係り合わせるためのテーパ穴を設けておくことが有効となる。
【００１５】
受圧部を簡素に構成するためには、補助パネルに基端片をねじ止めし受圧片を当該補助パネル面から垂直に持ち出した後付けの受圧具からなるものが好適である。
【００１６】
この場合、連結構造の実効を担保するためには、補助パネルの厚み内にインサートナットを両端を開口させて埋設し、このインサートナットにねじを用いて受圧具を締着するようにしたものであって、インサートナットの鍔部がパネル面に突き当たるまで反対側から抜け止めボルトを締付けて当該鍔部と抜け止めボルトの頭部とで補助パネルを厚み方向に挟み込んだ状態にし、その上でインサートナットにねじを固定するようにしておくことが望ましい。
【発明の効果】
【００１７】
本発明は、以上説明した構成であるから、サイドパネル等の補助パネルを主パネル等の主パネル及び天板等の基礎パネルに取り付けるにあたり、主パネルや基礎パネル自体に何ら加工を施す必要がなく、簡単に着脱できて取付位置も自在に変更できるようにした新規有用なパネル取付構造を提供することが可能となる。
【発明を実施するための最良の形態】
【００１８】
以下、本発明の一実施形態を、図面を参照して説明する。
【００１９】
この実施形態のテーブルは、図１〜図３に示すように、エンド脚１，１同士あるいはエンド脚１，１間に図示のごとく中間脚２が配置される場合にはエンド脚１と中間脚２の間をそれぞれビーム３で連結して自立性のある脚構造体Ａを構成し、この脚構造体Ａのビーム３上に天板４を必要に応じ幅方向に隣接させて複数載せ置けるようにしたものである。ビーム３は天板４の使用縁４ａから奥行き方向内方へ奥に入り込んだ部位に位置づけられ、中間脚２も脚支柱２１が天板４の奥行き方向内方へ入り込んだ部位に位置する鳥居形のものが用いられていて、通常の使用状態ではこれらが利用者に視認され難く、また天板４の使用縁４ａ側の下肢空間を十分確保できる構造をなしている。この実施形態の場合、天板４は前記脚構造体Ａの奥行き方向片半部づつに対をなして配置されて対面使用が可能となっており、一対の天板４の反使用縁４ｂ、４ｂ間には配線の落し込み等を可能にする隙間Ｓが設けてある。そして、図３に想像線で、また図４に実線でそれぞれ示すように、その隙間Ｓを介してデスクトップパネル５を、エンド脚１や中間脚２に支持させた状態で取り付け得るようにしている。デスクトップパネル５の下縁５ｂはその隙間Ｓを介して天板４の下肢空間に開放されている。そのデスクトップパネル５の下縁５ｂは、天板４のパネル面４ｘよりも高位置に配置され、ここでも配線の落し込み等を可能にする隙間Ｓの形成に寄与している。
【００２０】
このような構成において、本実施形態は、連設された天板４の作業領域を幅方向の任意の位置で仕切るべく、図４に示すように本発明の補助パネルたるサイドパネル６を、主パネルたる前記デスクトップパネル５及び基礎パネルたる前記天板４にそれぞれ取り付けるようにしている。
【００２１】
サイドパネル６は、天板４に載せ置いた状態で上面６ａがデスクトップパネル５の上面５ａに近い高さ位置に設けられ、前後寸法が天板４の奥行き寸法よりも若干短寸に設定されている。
【００２２】
先ず、サイドパネル６とデスクトップパネル５との連結について説明すると、図４及び図５に示すように、サイドパネル６の後方に位置する突合せ端部６ｂをデスクトップパネル５のパネル面５ｘにＴ字状に突き合わせ、サイドパネル６の突合せ端部６ｂにおける上下２箇所とデスクトップパネル５の対応する上下２箇所とを、受圧部７ａ及び緊締機構８ａによって連結するようにしている。受圧部７ａはサイドパネル６のパネル面６ｘに受圧具７１を固定することによって設けられ、緊締機構８ａは基材８１及びねじｖ１から構成されてデスクトップパネル５及び受圧具７１に跨がって係り合わせられるものである。
【００２３】
すなわち、受圧具７１は、Ｌ字金具を用いたもので、基端片７１ａをサイドパネル６のパネル面６ｘにねじ７１ｃにより固定され、受圧片７１ｂをそのパネル面６ｘから直交方向かつデスクトップパネル５に対向する位置に持ち出したもので、その受圧片７１ｂにテーパ穴７１ｂ１が設けてある。
【００２４】
一方、基材８１は、一対の対向壁８１ａ、８１ａの間を頂壁８１ｂで連結したもので、デスクトップパネル５の小口と受圧具７１の受圧片７１ｂとを対向壁８１ａ、８１ａ間に受容するようにしてデスクトップパネル５の上方または下方から被せられる。この基材８１の対向壁８１ａには、前記テーパ穴７１ｂ１に合致する位置にねじ孔８１ａ１が設けられている。
【００２５】
そして、受圧片７１ｂ側に位置する一方の対向壁８１ａにねじｖ１を螺合させて先端を図７に矢印Ａ１で示すように当該受圧片７１ｂに押し付け、この受圧片７１ｂを足場にして基材８１を同図中矢印Ａ２で示すように当該対向壁８１ａが受圧片７１ｂから離れる方向にねじ送りすることによって、基材８１の他方の対向壁８１ａでデスクトップパネル５の裏面を同図中矢印Ａ３で示すように牽引しつつ受圧片７１ｂを介してサイドパネル６を同図中矢印Ａ４に示すようにデスクトップパネル５のパネル面５ｘに押し当てるようにしている。
【００２６】
以上の段階において、サイドパネル６がデスクトップパネル５にＴ字連結され、天板４に対してもＴ字状に載せ置かれた状態となるが、本実施形態ではさらに、図４及び図６に示すように、サイドパネル６の反突合せ端である前端６ｃ側の下部と天板４の対応箇所とを、受圧部７ｂ及び緊締機構８ｂによって連結するようにしている。受圧部７ａはサイドパネル６の下端面に受圧具７２を固定することによって設けられ、緊締機構８ｂは基材８２及びねじｖ２から構成されて天板４及び受圧具７２に跨がるように係り合わせられる。
【００２７】
すなわち、受圧具７２は、基端片７２ａをサイドパネル６の下端に取り付けた板状のもので、受圧片７２ｂをサイドパネル６の前端６ｃよりも前方に延び出させており、その受圧片７２ｂにテーパ穴７２ｂ１が設けてある。
【００２８】
一方、基材８２は、一対の対向壁８２ａ、８２ａの間を頂壁８２ｂで連結したもので、天板４の使用縁４ａ側の小口と受圧具７２の受圧片７２ｂとを対向壁８２ａ、８２ａ間に受容するようにして天板４の前方から被せられる。この基材８２の対向壁８２ａには、前記テーパ穴７２ｂ１に合致する位置にねじ孔８２ａ１が設けられている。
【００２９】
そして、受圧片７２ｂ側に位置する一方の対向壁８２ａにねじｖ２を螺合させて先端を図７に矢印Ｂ１で示すように当該受圧片７２ｂに押し付け、この受圧片７２ｂを足場にして基材８２を同図中矢印Ｂ２で示すように当該対向壁８２ａが受圧片７２ｂから離れる方向にねじ送りすることによって、基材８２の他方の対向壁８２ａで天板４の下面を同図中矢印Ｂ３で示すように牽引しつつ受圧片７２ｂを介してサイドパネル６を同図中矢印Ｂ４で示すように天板４の上面に押し当てるようにしている。
【００３０】
以上によって、サイドパネル６は図４、図８及び図９に示すように、デスクトップパネル５及び天板４の双方に対してＴ字連結されることとなる。
【００３１】
ただし、この実施形態のテーブルは対面使用できるように天板４が突き合わせて配置されるため、同じ位置に表裏のサイドパネル６が位置するときにはデスクトップパネル５に対する取付場所の取り合いになる。
【００３２】
そこで、上述した基材８１は、図７に想像線で示すように、裏面側のサイドパネル６に付帯する受圧具７１´の受圧片７１ｂ´を同時に抱き込めるように対向壁８１ｂ、８１ｂ間に若干余裕のある寸法が設定してあり、基材８１をねじ送りした際に、裏面側の対向壁８１ｂで当該受圧片７１ｂ´を介してデスクトップパネル５を矢印Ａ３のように牽引しつつ受圧片７１ｂが受ける押し付け反力でサイドパネルを矢印Ａ４のようにサイドパネル５のパネル面５ｘに押し当て、これにより単一の基材８１で両受圧具７１、７１´をデスクトップパネル５に共締めし得るようにしている。
【００３３】
なお、受圧具７１の基端片７１ａのサイドパネル６への取り付けは、図１０に示すように、サイドパネル６にインサートナット６１を埋設し、そのインサートナット６１の鍔部６１ａがパネル面６ｘに突き当たるまで反対側から抜け止めボルト６１ｂを締付けて当該鍔部６１ａと抜け止めボルト６１ｂの頭部６１ｂ１とでサイドパネル６を厚み方向に挟み込んだ状態にし、その上でインサートナット６１の反対側に前述したねじ７１ａを固定するようにしている。
【００３４】
以上のように、本実施形態のパネル連結構造は、補助パネルであるサイドパネル６の突き合せ端部６ｂを主パネルであるデスクトップパネル５のパネル面５ｘに突き合わせ、サイドパネル６の少なくとも２箇所に設定した受圧部７ａとデスクトップパネル５の対応部位との間を、これらに着脱可能に係り合わせた第１の緊締機構８ａによって前記突き合せ端部６ｂを前記パネル面５ｘに押し付ける方向に緊締するとともに、サイドパネル６の前記突き合せ端部６ｂと直交する直交端部６ｄを同時に天板４のパネル面４ｘに突き合わせ、サイドパネル６のうち前記受圧部７ａからデスクトップパネル５とは反対側へ変位した部位に設定した受圧部７ｂと天板４の対応部位との間を、これらに着脱可能に係り合わせた第２の緊締機構８ｂによって前記直交端部６ｄを天板４のパネル面４ｘに押し付ける方向に緊締するようにしたものである。
【００３５】
このようにすると、取付構造をもたないデスクトップパネル５に対しても、サイドパネル６を突き当て、サイドパネル６に設定した受圧部７ａとデスクトップパネル５とに緊締機構８ａを着脱可能に係り合わせて緊締することでサイドパネル６を有効に連結することができ、サイドパネル６を取り外せば連結構造をもたないデスクトップパネル５に適切に復元させることができる。また、これと同時に、取付構造をもたない天板４に対してもサイドパネル６を、受圧部７ｂと緊締機構８ｂとを利用して復元可能な状態で固定することができる。よって、このようにデスクトップパネル５や天板４に対して加工を施さない後付け構造であっても、サイドパネル６のふらつきを防止して確実な取付状態を確保することができる。そして、緊締機構８ａ、８ｂを係り合わせる位置を選択するだけで、サイドパネル６を自在な位置に取り付けることが可能となる。
【００３６】
特に、デスクトップパネル５や天板４に加工を施すとコスト増となり、外観も毀損し易いことから、このようなテーブルに本発明を適用することは極めて有用となる。
【００３７】
その際、デスクトップパネル５に対して表裏からサイドパネル６を突き合わせるにあたり、同じ位置に取り付けると表裏の緊締機構８ａの間で取付位置の取り合いになるところ、本実施形態では、一対の天板４、４の間で共用されるデスクトップパネル５に対して、その表裏にそれぞれ配置した一対のサイドパネル６の受圧部６ａ、６ａとデスクトップパネル５とに前記緊締機構８ａを着脱可能に係り合わせ、両サイドパネル６の突き合せ端部６ｂをデスクトップパネル５の表裏のパネル面５ｘに同時に押し付ける方向に共締めし得るようにしているので、別個に緊締機構８ａを用いた場合に生ずる干渉を回避して双方のサイドパネル６を適切に取り付けることができ、またこれに伴い部品点数及び工数も有効に削減することができる。
【００３８】
特に、このパネル連結構造が適用されるテーブルは、デスクトップパネル５の下縁５ｂが天板４の上面のパネル面４ｘよりも高位置に配置され、天板４とデスクトップパネル５の下縁５ｂとの隙間Ｓを介して第１の緊締機構７ａの脱着が可能であるため、デスクを解体せずとも脱着作業を行うことができ、取付位置の変更にも容易に対応することができる。
【００３９】
また、一対の天板４，４が反使用縁４ｂ、４ｂ間に隙間Ｓを形成した状態で対向配置され、その隙間Ｓを介してデスクトップパネル５の下縁５ｂが天板４の下肢空間側に開放されており、その隙間Ｓを介して第１の緊締機構７ａの脱着が可能であるので、この点でもテーブルを解体せずとも脱着作業を行うことができ、取付位置の変更にも容易に対応することができる。
【００４０】
さらに、天板４を支持する脚構造体Ａが、隣接する脚１，１間（或いは１，２間）をビーム３で連結したものであり、そのビーム３が天板４の使用縁４ａから奥行き方向中央よりに変位していて、使用縁４ａ近傍の下面に第２の緊締機構８ｂを取り付けることが可能であるため、第１の緊締機構８ａの取付位置に対応させて第２の緊締機構８ｂを適切に取り付けることができ、これによりサイドパネル６の自在な取り付け機能の実効を図ることができる。
【００４１】
具体的には、受圧部７ａ（７ｂ）がサイドパネル６のパネル面６ｘから直交方向に受圧片７１ｂ（７２ｂ）を持ち出したものであり、緊締機構８ａ（８ｂ）が、一対の対向壁８１ａ（８２ａ）を有する基材８１（８２）を取付先のパネルであるデスクトップパネル５（天板４）に小口側から、当該パネル５（４）を受圧部７ａ（７ｂ）とともに抱き込むように被せ、基材８１（８２）の一方よりねじｖ１（ｖ２）を螺合させて先端を受圧部７ａ（７ｂ）に押し付けるようにしたクランプ構造であるため、緊締機構８ａ（８ｂ）の構造、並びに、デスクトップパネル５（天板４）に対する脱着作業が極めて簡素となり、かつ強固な緊締力を導入することができる。
【００４２】
この場合、受圧片７１ｂ（７２ｂ）の所定位置にねじｖ１（ｖ２）の先端を誘い込んで係り合わせるためのテーパ穴７１ｂ１（７２ｂ１）を設けているので、ねじｖ１（ｖ２）を差し込み易くするとともに、ねじｖ１（ｖ２）の先端のふらつきを防止して、確実な緊締力を発現させることができる。
【００４３】
一方、受圧部７ａ（７ｂ）は、サイドパネル６に基端片７１ａ（７２ａ）をねじ止めし受圧片７１ｂ（７２ｂ）を当該サイドパネル６のパネル面６ｘから垂直に持ち出した後付けの受圧具７１（７２）からなるものであり、サイドパネル６には穴明け加工が施されることになるが、サイドパネル６は不使用時にはパネルごと撤去され、デスクトップパネル５等のような復元の問題は問われないので、これによってサイドパネル６に簡単に受圧部７ａ（７ｂ）を構成することができ、既存のサイドパネル６をも有効に利用することができる。
【００４４】
そして、そのサイドパネル６の厚み内にインサートナット６１を両端を開口させて埋設し、このインサートナット６１にねじ７１ａを用いて受圧具７１を締着するにあたり、インサートナット６１の鍔部６１ａがパネル面に突き当たるまで反対側から抜け止めボルト６１ｂを締付けて当該鍔部６１ａと抜け止めボルト６１ｂの頭部６１ｂ１とでサイドパネル６を厚み方向に挟み込んだ状態にし、その上でインサートナット６１にねじ７１ａを固定するようにしているので、インサートナット６１のサイドパネル６からの抜脱が鍔部６１ａと抜け止め用ボルト６１ｂとによって禁止されるので、サイドパネル６にパネル厚み方向の力が加わっても、インサートナット６１がサイドパネル６内で緩み或いはサイドパネル６から外れてしまうことを防いで、連結構造を実効あるものにすることができる。
【００４５】
なお、各部の具体的な構成は、上述した実施形態のみに限定されるものではない、
【００４６】
例えば、主パネルや基礎パネルはデスクトップパネルや天板以外であっても事情は同様であり、補助パネルがこれらの主パネルや基礎パネルに対して突き合わせられる関係にあれば、本発明を適用することにより同様の効果を奏することができる。
【００４７】
また、上記実施形態ではサイドパネルの一方のパネル面にのみ受圧部を設けたが、必要であれば他方のパネル面にも受圧具を設けてデスクトップパネルの対応部位との間に緊締機構を導入するようにしてもよい。
【００４８】
さらに、上下の受圧部は、単一の長尺な受圧具の２箇所に設定するようにしても構わない。
【００４９】
その他の構成も、本発明の趣旨を逸脱しない範囲で種々変形が可能である。
【図面の簡単な説明】
【００５０】
【図１】本発明の一実施形態に係るパネル連結構造が適用されるテーブルの斜視図。
【図２】同テーブルを構成する脚構造体の斜視図。
【図３】同テーブルの側断面図。
【図４】同テーブルに連結対象であるサイドパネルを取り付けた状態を示す斜視図。
【図５】同連結構造を示す部分分解斜視図。
【図６】同連結構造を示す部分分解斜視図。
【図７】同連結構造の作用説明図。
【図８】同連結構造によってサイドパネルを取り付けた状態を示す側面図。
【図９】同正面図。
【図１０】同連結構造の要部説明図。
【符号の説明】
【００５１】
５…主パネル（デスクトップパネル）
６…補助パネル（サイドパネル）
６ｂ…突合せ端部
６ｘ…パネル面
７ａ、７ｂ…受圧部
８ａ、８ｂ…緊締機構
６１…インサートナット
６１ａ…鍔部
６１ｂ…ボルト
７１，７２…受圧具
７１ｂ、７２ｂ…受圧片
７１ｂ１，７２ｂ１…テーパ穴
８１，８２…基材
８１ａ、８２ａ…対向壁
Ａ…脚構造体
ｖ１、ｖ２…ねじ
【図１】
2008119412.tif 000003
【図２】
2008119412.tif 000004
【図３】
2008119412.tif 000005
【図４】
2008119412.tif 000006
【図５】
2008119412.tif 000007
【図６】
2008119412.tif 000008
【図７】
2008119412.tif 000009
【図８】
2008119412.tif 000010
【図９】
2008119412.tif 000011
【図１０】
2008119412.tif 000012